(57)【要約】【課題】筆記状態にある軸筒の向きを変えることなく、片手で容易に軸筒内に収容された複数の筆記体を使用可能状態にすることができる複式筆記具を得る。【解決手段】軸筒に複数の開口部が直列に設けられ、複数の開口部にスライダーを前方へ押動する複数の押圧体がそれぞれ装着され、スライダーが、押圧体の側壁と当接する斜面と、斜面の後方に位置する段部と、段部の後方に位置する係止突部とを有し、押圧体の一つを軸径方向の内方へ向かって押圧してスライダーの一つの斜面を摺動させることでスライダーの係止突部を軸筒内に設けた隔壁部に係止して、スライダーが装着された筆記体の筆記端を軸筒先端開口より突出した状態で維持し、他の押圧体を軸径方向の内方へ向かって押圧してスライダーの斜面を摺動させることで、該スライダーの段部を隔壁部に係止されている前記スライダーに衝接させて係止状態を解除し、軸筒先端開口より突出した筆記端が没入される。【選択図】図３
2019116062.tif 000002
【特許請求の範囲】
【請求項１】
軸筒内に弾発体で後方へ弾発された複数の筆記体が出没可能に収容された複式筆記具であって、
前記筆記体の後方にスライダーが連結され、
前記軸筒に複数の開口部が直列に設けられ、前記複数の開口部に前記スライダーを前方へ押動する複数の押圧体がそれぞれ装着され、
前記スライダーが、前記押圧体の側壁と当接する斜面と、前記斜面の後方に位置する段部と、前記段部の後方に位置する係止突部とを有し、
前記押圧体の一つを軸径方向の内方へ向かって押圧して前記スライダーの一つの斜面を摺動させることでスライダーの係止突部を前記軸筒内に設けた隔壁部に係止して、当該スライダーが装着された筆記体の筆記端を軸筒先端開口より突出した状態で維持し、他の押圧体を軸径方向の内方へ向かって押圧してスライダーの斜面を摺動させることで、該スライダーの段部を前記隔壁部に係止されている前記スライダーに衝接させて係止状態を解除し、軸筒先端開口より突出した筆記端が没入されることを特徴とした複式筆記具。
【請求項２】
前記スライダーの段部と係止突部との間に連結部が設けられ、前記筆記体の筆記端の没入状態において、前記係止突部が前記隔壁部の側面に接した状態で前記連結部が軸径方向に弾性変形することを特徴とした請求項１に記載の複式筆記具。
【請求項３】
前記筆記体がシャープペンシルユニットであり、前記スライダーの段部の前方に軸心に沿った方向の隙間部を設けたことを特徴とした請求項１又は２に記載の複式筆記具。
【発明の詳細な説明】
【技術分野】
【０００１】
本発明は、軸筒内に複数の筆記体を出没可能に収容した複式筆記具に関する。
【背景技術】
【０００２】
従来、軸筒内に複数の筆記体が収容され、操作体を操作することで目的とする筆記端を突出させて筆記行う構造の複式筆記具がある。
このような複式筆記具では、特許文献１に記載された筆記具のように、軸筒の側面から突出した摺動体を前方へスライドすることで摺動体に連結した筆記体の筆記端を突出させる構造や、特許文献２に記載された筆記具のように、前軸と後軸とを相対的に軸筒の軸線周りに回転させて軸筒内の回転カムを回動させることで、該回転カムに接触した摺動体が前進されて、該摺動体に連結した筆記体の筆記端を突出させる構造がある。
【０００３】
特許文献１及び特許文献２の筆記具は、例えば軸筒内に収容した黒色と赤色のインキ色のボールペンレフィルを使い分け、使用者が、黒色又は赤色の筆跡で筆記を行うことが可能である。
しかしながら、特許文献１のようなスライド式の複式筆記具では、片手で軸筒の前方を把持した状態から、軸筒の後方にある摺動体を前進させて筆記体の出没操作を行うため、軸筒を一時的に反転させるような持ち替えが必要となる。
また、特許文献２のような回転式の複式筆記具では、片手で前軸を把持し、残りの手で後軸を把持して軸線周りに相対回転させることで筆記体の出没操作を行うため、両手による操作が必要となる。
このような軸筒の持ち替えや両手を必要とする操作は、一つの筆記体を連続して使い続ける場合には特に手間と感じることは少ないが、例えば黒色で筆記をしていて、少しだけ赤色に変えて筆記を行い、また黒色で筆記を行いたい場合、あるいは黒色と赤色とを交互に短時間ずつ筆記したい場合には、その操作を面倒に感じることがある。
【先行技術文献】
【特許文献】
【０００４】
【特許文献１】特開２００１−１１３８８３号公報
【特許文献２】特開２０１２−２２３９６４号公報
【発明の概要】
【発明が解決しようとする課題】
【０００５】
本発明は、上記問題を鑑みて、筆記状態にある軸筒の向きを変えることなく、片手で容易に軸筒内に収容された複数の筆記体を使用可能状態にすることができる複式筆記具を得ることを目的とする。
【課題を解決するための手段】
【０００６】
本発明は、
「１．軸筒内に弾発体で後方へ弾発された複数の筆記体が出没可能に収容された複式筆記具であって、
前記筆記体の後方にスライダーが連結され、
前記軸筒に複数の開口部が直列に設けられ、前記複数の開口部に前記スライダーを前方へ押動する複数の押圧体がそれぞれ装着され、
前記スライダーが、前記押圧体の側壁と当接する斜面と、前記斜面の後方に位置する段部と、前記段部の後方に位置する係止突部とを有し、
前記押圧体の一つを軸径方向の内方へ向かって押圧して前記スライダーの一つの斜面を摺動させることでスライダーの係止突部を前記軸筒内に設けた隔壁部に係止して、当該スライダーが装着された筆記体の筆記端を軸筒先端開口より突出した状態で維持し、他の押圧体を軸径方向の内方へ向かって押圧してスライダーの斜面を摺動させることで、該スライダーの段部を前記隔壁部に係止されている前記スライダーに衝接させて係止状態を解除し、軸筒先端開口より突出した筆記端が没入されることを特徴とした複式筆記具。
２．前記スライダーの段部と係止突部との間に連結部が設けられ、前記筆記体の筆記端の没入状態において、前記係止突部が前記隔壁部の側面に接した状態で前記連結部が軸径方向に弾性変形することを特徴とした前記１項に記載の複式筆記具。
３．前記筆記体がシャープペンシルユニットであり、前記スライダーの段部の前方に軸心に沿った方向の隙間部を設けたことを特徴とした前記１項又は２項に記載の複式筆記具。」である。
【０００７】
軸筒に複数の開口部を直列に設けて押圧体を装着することで、筆記時に軸筒を把持した状態の指で押圧体を操作し易くなり、筆記状態にある軸筒の向きを変えずに、片手で容易に軸筒内に収容された複数の筆記体を使用可能な状態にすることが可能となる。
軸筒に対する押圧体の装着方法は限定されるものではない。一例として押圧体の後方を軸筒の開口部の後方縁部に係止させ回動可能に装着し、押圧体への押圧により該押圧体が回転運動を伴うものとすることで、筆記端に掛かった筆圧の反力で指が軸筒の前方へ向かって移動することが可能となり、押圧体を効率よく押圧することが可能となる。この場合、軸筒から露出する押圧体を、側面視において前方を後方に比べて軸径方向の外方へ突出させることで、押圧体の回動運動が行い易くなりさらに操作性が向上する。
押圧体の材質は特に限定されるものではないが、操作性を鑑みて、スライダーに対する滑り性を考慮する場合にはポリアセタール樹脂（ＰＯＭ樹脂）やポリブチレンテレフタラート樹脂（ＰＢＴ樹脂）、フッ素樹脂が好ましく、外観や強度を重視するのであればポリカーボネート樹脂（ＰＣ樹脂）やアクリル樹脂、アクリロニトリル−ブタジエン−スチレン共重合樹脂（ＡＢＳ樹脂）などが適している。
【０００８】
押圧体とスライダーとの関係は、軸径方向へ動く押圧体と該押圧体に対応したスライダーの斜面が当接する位置関係に配置する。例えば二本の筆記体を軸筒に収容する場合には、軸筒に二つの開口部を直列に設け、開口部に二つの押圧体をそれぞれ装着し、軸径方向に並列した状態で二つのスライダーを配設し、それぞれのスライダーに同方向に傾斜する斜面を設けるとよい。この場合、二つの押圧体は開口部に近いものと遠いものとになる。この二つの押圧体の内、スライダーに対して遠くに位置する押圧体の側壁は軸径方向に高く形成され、スライダーに対して近くに位置する押圧体の側壁は軸径方向に低く形成され、押圧体を押圧する距離が同程度で双方の筆記体の筆記端が突出できるようにすることで、同様な押圧操作で筆記体の出没ができることから、操作感を向上させることが可能となる。
筆記体は、ボールペンレフィル、シャープペンシルユニット、マーカーなど筆記端を前端に備えたものであればよい。
【０００９】
筆記体とスライダーとの連結方法は限定されるものではない。一例としてスライダーの前方に設けた孔部に筆記体の後端を挿着させてもよく、また逆にスライダーの前方に設けた突部を筆記体の後端開口に挿着させてもよい。
筆記体を後方へ弾発する弾発体は例えばコイルスプリングである。コイルスプリングを筆記体の周囲に配設し、該コイルスプリングの前端を軸筒の内面に当接させ後端をスライダーの前端に当接させ、当該コイルスプリングでスライダーを常時弾発させることにより、スライダーの斜面に当接する押圧体が常時軸筒の外方へ突出した状態で維持される。
【００１０】
スライダーの係止突部及び軸筒の隔壁部は形状が特に限定されることはなく、係止突部と隔壁部とが互いに係合できる形状とすればよい。
軸筒内における隔壁部を設ける位置は特に限定されないが、軸筒内の後方に設けた場合には、スライダーの係止突部と軸筒の隔壁部との係止位置など筆記体の出没に関する機構部を該軸筒の後方に集中させることができることから、ボールペンレフィルやマーカーなど内部にインキを収容した筆記体を使用する際に、筆記体のインキ収容部を軸筒の軸心に沿って長く形成することが可能となり、筆記体にインキを多く収容させることで、筆記距離を長くしたり筆跡を太くしたりすることができる。さらに軸筒を、軸筒本体に対し尾冠を固着させてなる形態とし、尾冠に隔壁部を前方へ突出するよう設けて軸筒本体と隔壁部とを分離させることで、複数のスライダー間への隔壁部の配設がし易くなり、組立性を向上させることができる。
スライダーの段部は、隔壁部に係止されている他のスライダーの係止突起に衝接して係止状態を解除できればよく形状が限定されることはない。
スライダーの係止突部及び段部は、複数のスライダー間で互いが相対向するよう形成することで互いの係止状態を解除できる構造となる。
【００１１】
また、スライダーの段部と係止突部との間に弾性変形できる連結部を設け、筆記体の筆記端の没入状態において、係止突部が隔壁部の側面に接した状態で該連結部が軸径方向に弾性変形する構造とし、没入状態にあるスライダーが突出状態に移行した際には連結部が弾性変形した状態から開放され、スライダーに負荷が掛かってない自然な状態で隔壁部に係止させることが可能となり、筆記時において筆圧の反力が掛かることとなる係止突部と隔壁部との係止状態が安定する。
スライダーの材質は特に限定されるものではないが、操作性を鑑みて、押圧体に対する滑り性を考慮する場合にはポリアセタール樹脂（ＰＯＭ樹脂）やポリブチレンテレフタラート樹脂（ＰＢＴ樹脂）、フッ素樹脂など摺動性に優れた材質が好ましく、連結部の弾性変形のし易さや復元のし易さを考慮する場合にはポリプロピレン樹脂（ＰＰ樹脂）やポリエチレン樹脂（ＰＥ樹脂）、ナイロン樹脂などが適している。
【００１２】
スライダーの段部の前方に軸心に沿った方向の隙間部を設けることで、筆記体をシャープペンシルユニットとした際に、シャープペンシルの芯繰り出し操作を押圧体の押圧操作で行うことが可能となる。この場合、段部の前方に設ける隙間は、少なくともシャープペンシルユニットの芯繰り出しのためのノック代より大きく形成すればよい。
【発明の効果】
【００１３】
本発明の複式筆記具によれば、筆記状態にある軸筒の向きを変えることなく、片手で容易に軸筒内に収容された複数の筆記体を使用可能な状態にすることが可能な複式筆記具を得ることが可能となる。
【図面の簡単な説明】
【００１４】
【図１】本実施形態の複式筆記具の平面図である。
【図２】本実施形態の複式筆記具の側面図である。
【図３】図１のＡ−Ａ線断面図である。
【図４】スライダーの斜視図である。
【図５】本実施形態の機構部を示す図であり、図５Ａは機構部を平面図であり、図５Ｂは側面図であり、図５Ｃは図５Ｂの５Ｂ−５Ｂ線断面図である。
【図６】押圧体とスライダーとの関係を示す斜視図であり、図６Ａは筆記体の没入時を示し、図６Ｂは筆記体の突出時を示す。
【図７】第一の筆記体を突出させた状態の機構部を示す図であり、図７Ａは平面図であり、図７Ｂは側面図であり、図７Ｃは図７Ｂの７Ｂ−７Ｂ線断面図である。
【図８】第二の筆記体を突出させた状態の機構部を示す図であり、図８Ａは平面図であり、図８Ｂは側面図であり、図８Ｃは図８Ｂの８Ｂ−８Ｂ線断面図である。
【発明を実施するための形態】
【００１５】
以下に、添付の図面を参照して本実施形態の複式筆記具を詳細に説明する。
図１は本実施形態の複式筆記具の平面図で、図２は本実施形態の複式筆記具の側面図で、
図３は図１のＡ−Ａ線断面図である。但し、図３における筆記体は側面図で示してある。
本実施形態の複式筆記具１は、軸筒本体２０の前方には先口２１を、後方には尾冠２２を固着して軸筒２を形成してある。軸筒２の側面には二つの開口部２ａ，２ｂが直列に設けられており、開口部２ａ，２ｂには上面３ａ，４ａが突出した二つの押圧体３，４がそれぞれ装着されている。
軸筒２の内方には黒色インキを収容したボールペンレフィル５（第一の筆記体）と赤色インキを収容したボールペンレフィル６（第二の筆記体）とが軸筒先端開口２１ａから筆記端５ａ，６ａを出没可能に収容されている。    
図１から図３の図は、ボールペンレフィル５，６が共に軸筒２内に没入した状態である。
ボールペンレフィル５，６の後方にはスライダー７，８がそれぞれ連結されており、ボールペンレフィル５，６の外周にコイルスプリング９，１０が配設され、コイルスプリング９，１０の前端が軸筒２の段部２０ａに、後端がスライダー７，８の前端７ａ，８ａに当接する。ボールペンレフィル５，６の後部はスライダー７，８の孔部７ｂ，８ｂに挿着され、スライダー７，８の後端部７ｃ，８ｃがコイルスプリング９，１０の弾発力によって尾冠２２に当接される。
【００１６】
次に、図４及び図５を用いてスライダー７，８について詳述を行う。
スライダー７及びスライダー８は、スライダー本体７ｄ，８ｄの中間部に、前方から後方へ向かって上方から下方に傾斜する板状の斜面７ｅ，８ｅを設けてある。
斜面７ｅ，８ｅのそれぞれの下方には該斜面の反対側へ傾斜する脚部７ｆ，８ｆを設けてある。これによりスライダー７の下方においてはスライダー８の上面に斜面７ｅと脚部７ｆとが当接して当該スライダー７が支持され、スライダー８の下方においては軸筒２の内面に斜面８ｅと脚部８ｆとが当接して当該スライダー８が支持される。斜面７ｅは斜面８ｅより前方位置に形成されており互いが軸筒２内で干渉しないようにしてある。
スライダー本体７ｄ，８ｄの後方には段部７ｇ，８ｇが形成され、段部７ｇ，８ｇの後方には係止突部７ｈ，８ｈが形成されている。この段部７ｇ，８ｇ及び係止突部７ｈ，８ｈは軸径方向で互いが相対向するよう突設してある。
本実施形態のスライダー７，８はＰＯＭ樹脂で成形してある。段部７ｇ，８ｇと係止突部７ｈ，８ｈとの間に軸径方向に弾性変形できる連結部７ｉ，８ｉを設けてある。
【００１７】
スライダー７の段部７ｇと係止突部７ｈと連結部７ｉは、当該スライダー本体７ｄの中心軸より下方で且つ軸径方向の外方へずらして形成してあり、スライダー８の段部８ｇと係止突部８ｈと連結部８ｉは、当該スライダー本体８ｄの中心軸より上方で且つ軸径方向の外方へずらして形成してあり、前述の通り、スライダー７の斜面７ｅと脚部７ｆとがスライダー８の上面に支持された状態で（図３参照）、互いの段部７ｇ，８ｇ及び係止突部７ｈ，８ｈが相対向する。
スライダー本体７ｄ，８ｄの後部には段部７ｇ，８ｇ、係止突部７ｈ，８ｈ、連結部７ｉ，８ｉを囲繞する枠部７ｊ，８ｊが形成されており、後方が切欠かれたスライダー本体７ｄの内面７ｋにスライダー８の枠部８ｊの上辺が接し、同じく後方が切欠かれたスライダー本体８ｄの内面８ｋにスライダー７の枠部７ｊの下辺が接する。
図５に示すように、尾冠２２には前方へ突出する隔壁部２２ａが形成されており、前述したスライダー本体７ｄ，８ｄの内面７ｋ，８ｋと枠部７ｊ，８ｊとで形成された空間に隔壁部２２ａが配置され、図５Ｃで示されるように、隔壁部２２ａに係止突部７ｈ，８ｈが当接することで連結部７ｉ，８ｉが軸径方向の外方に弾性変形される。
【００１８】
次に、図５及び図６を用いて押圧体３，４について詳述を行う。
押圧体３及び押圧体４は、後方から前方に向かって軸径方向の外方へ向かって突出する上面３ａ，４ａを有し、後方に形成した溝部３ｂ，４ｂを軸筒２の開口部２ａ，２ｂの後方縁部２ｃ，２ｄに係止させることで回動可能に装着してある。
押圧体３，４の側壁部３ｃ，４ｃはスライダー７，８の斜面７ｅ，８ｅに常時当接し、コイルスプリング９，１０の弾発力により、押圧体３，４の上面３ａ，４ａを開口部２ａ，２ｂから突出させる力が常時働く。
押圧体３，４の側壁部３ｃ，４ｃの下端部には突起部（不図示）を設け開口部２ａ，２ｂから脱落しないようにしてある。
図６Ａはコイルスプリング９の弾発力に抗して押圧体３の上面３ａを軸筒２開口部（不図示）へ向かって軸径方向に押圧した状態である。
本実施形態の押圧体３，４はＰＯＭ樹脂で成形してある。
【００１９】
押圧体３の側壁部３ｃはスライダー８の上方に位置するスライダー７の斜面７ｅに当接し、押圧体４の側壁部４ｃはスライダー７の下方に位置するスライダー８の斜面８ｅに当接することから、押圧体４の側壁部４ｃは押圧体３の側壁部３ｃより高くされ、押圧体３，４の押圧の操作感、すなわち軸径方向の内方へ向かって押圧した際に、ボールペンレフィル５，６を突出させるときの押圧距離が等しくなるよう、スライダー７に対して近くに位置する押圧体３の回動半径に対し、スライダー８に対して遠くに位置する押圧体４の回動半径を大きくしてある。具体的には、押圧体３の前後長より押圧体４の前後長を長く形成することで、上面３ａ，４ａが開口部２ａ，２ｂに近づくまで押圧操作したときの軸径方向（図５Ｂにおける上下方向）の移動距離を等しくする。
また押圧した際に側壁部３ｃ，４ｃがスライダー７，８に接触しないよう該スライダー７，８の前方には切欠部３ｄ，４ｄを形成してある。
【００２０】
次に、図７及び図８を用いて筆記体の出没操作について説明を行う。
図７は黒色インキを収容したボールペンレフィル５（第一の筆記体）を突出させた状態の機構部を示す図であり、図７Ａは平面図であり、図７Ｂは側面図であり、図７Ｃは図７Ｂの７Ｂ−７Ｂ線断面図である。図８は赤色インキを収容したボールペンレフィル６（第二の筆記体）を突出させた状態の機構部を示す図であり、図８Ａは平面図であり、図８Ｂは側面図であり、図８Ｃは図８Ｂの８Ｂ−８Ｂ線断面図である。
【００２１】
図７に示されるように、押圧体３を押圧することで、押圧体３の側壁部３ｃで摺動された斜面７ｅによりスライダー７が前進し、スライダー７と連結されたボールペンレフィル５の筆記端５ａが軸筒２の軸筒先端開口２１ａから突出する。この際、図７Ｃに示されるように、スライダー７の係止突部７ｈが隔壁部２２ａより前方へ移動し、軸径方向の外方に弾性変形されていた連結部７ｉが元に戻り、係止突部７ｈが隔壁部２２ａの前方に係止され、筆記端３ａが軸筒先端開口２１ａより突出した状態で維持され使用可能状態となる。
次に、図７の状態から押圧体４を押圧することで、押圧体４の側壁部４ｃで摺動された斜面８ｅによりスライダー８が前進し、スライダー８の段部８ｇが隔壁部２２ａに係止されているスライダー７の係止突部７ｈに衝接して係止状態を解除した上で、図８に示されるように、ボールペンレフィル６の筆記端６ａが軸筒２の軸筒先端開口２１ａから突出する。この際、図８Ｃに示されるように、スライダー８の係止突部８ｈが隔壁部２２ａより前方へ移動することから、軸径方向の外方に弾性変形されていた連結部８ｉが元に戻り、係止突部８ｈが隔壁部２２ａの前方に係止され、筆記端４ａが軸筒先端開口２１ａより突出した状態で維持され使用可能状態となる。
【００２２】
上述の通り、本実施形態の複式筆記具１は、軸筒２に開口部２ａ，２ｂを直列に設けて押圧体３，４を装着したことで、筆記時に軸筒２を把持した状態の指で押圧体３，４を操作し易くなり、筆記状態にある軸筒２の向きを変えずに、片手で容易に軸筒２内に収容されたボールペンレフィル５，６を使用可能状態にできる。
本実施形態では図面を分かり易くするために、押圧体３，４を軸筒２の中央に配してあるが、筆記状態から押圧操作への指の動きを考慮すると軸筒２の前方に押圧体３，４は配した方がよい。
【００２３】
本実施形態では、軸筒内に二本のボールペンレフィルを収容した複式筆記具について説明を行ったが、本発明の複式筆記具は軸筒内に二本の筆記体が収容されたものに限定されものではない。
【符号の説明】
【００２４】
１…複式筆記具、
２…軸筒、２ａ，２ｂ…開口部、
２ｃ，２ｄ…後方縁部、
２０…軸筒本体、２０ａ…段部、
２１…先口、２１ａ…軸筒先端開口、
２２…尾冠、２２ａ…隔壁部、
３，４…押圧体、３ａ，４ａ…上面、３ｂ，４ｂ…溝部、３ｃ，４ｃ…側壁部、３ｄ，４ｄ…切欠部、
５…ボールペンレフィル（第一の筆記体）、
６…ボールペンレフィル（第二の筆記体）、
５ａ，６ａ…筆記端、
７，８…スライダー、７ａ，８ａ…前端、７ｂ，８ｂ…孔部、７ｃ，８ｃ…後端部、７ｄ，８ｄ…スライダー本体、７ｅ，８ｅ…斜面、７ｆ，８ｆ…脚部、７ｇ，８ｇ…段部、７ｈ，８ｈ…係止突部、７ｉ，８ｉ…連結部、７ｋ，８ｋ…内面、７ｊ，８ｊ…枠部、
９，１０…コイルスプリング。
【図１】
2019116062.tif 000003
【図２】
2019116062.tif 000004
【図３】
2019116062.tif 000005
【図４】
2019116062.tif 000006
【図５】
2019116062.tif 000007
【図６】
2019116062.tif 000008
【図７】
2019116062.tif 000009
【図８】
2019116062.tif 000010